(57)【要約】【課題】ホースバンドの突片に対してスライドさせることでホースバンドを拡径状態から締付状態にすることができ、締付状態にしてもホースバンドから離脱しない構造を有するストッパー片を得る。【解決手段】方形状板体をコ字状に折曲して形成することで、中央連結部１１と該中央連結部１１に連結する一対の支持片１２，１３を有するストッパー片１０であって、いずれか一方の支持片にその一辺に沿った開口窓１４を形成し、いずれか一方の支持片の下端両側部に切り込み線１５を形成し、切り込み線１５より下方の部位を他方の支持片側に傾斜させてその先端側が前記中央連結部１１側に臨む係止部１６を形成する。【選択図】      図１
2004353711.tif 000002
【特許請求の範囲】
【請求項１】
方形状板体をコ字状に折曲して形成することで、中央連結部と該中央連結部に連結する一対の支持片を有するストッパー片であって、
いずれか一方の支持片にその一辺に沿った開口窓を形成し、
いずれか一方の支持片の下端両側部に切り込み線を形成し、切り込み線より下方の部位を他方の支持片側に傾斜させてその先端側が前記中央連結部側に臨む係止部を形成して成る
ことを特徴とするストッパー片。
【請求項２】
中央連結部の各折曲部近傍に切り込み線を形成し、翼状の把持部を形成した請求項１に記載のストッパー片。
【請求項３】
帯状の板バネを円環状に形成した環状部と、前記板バネの両端にそれぞれ形成した開口部と該開口部に挿入配置可能な凸部と、これら開口部及び凸部の先端をそれぞれ折曲させて形成した各突片を備え、開口部形成側の突片の先端両側部を幅広としたホースバンドに対して、
前記ホースバンドの環状部を拡径させて前記開口部の外側位置に凸部が配置される状態とし、
請求項１のストッパー片の両支持片で開口部形成側の突片を挟持し、ストッパー片の開口窓が形成されない支持片の表面が凸部形成側の突片に当接することで拡径状態を維持することを特徴とするストッパー付きホースバンド。
【請求項４】
環状部の内周に、帯状の板バネに対して斜めに配置される凸状部を形成した請求項３に記載のストッパー付きホースバンド。
【発明の詳細な説明】
【０００１】
【発明の属する技術分野】
本発明は、ゴムホースをパイプに接続するに際にその接続部を締め付けるホースバンドに関し、特に接続部に装着する場合に特別な工具を必要とすることなくストッパーを外すだけで拡径状態を解除して締付状態にすることができるストッパー付きホースバンド、及び、締結状態にした場合でもホースバンドから外れることがないストッパー片の構造に関する。
【０００２】
【従来の技術】
ゴムホースをパイプに接続するに場合には、接続部をホースバンドにより締め付けることが行われるが、現場においてホースバンドを拡径して締め付け作業を行うことは面倒であるため、工場出荷時において予めホースバンドを拡径してストッパーで仮り止め状態にしておき、現場においてストッパーを外すことで締め付け作業を行うことが主流となっている。
【０００３】
ストッパー付きのホースバンドとしては、例えば図６（ａ）に示されるようなストッパー１００とホースバンド２００により構成されている。ストッパー１００は、断面コ字型の本体１０１に対して、コ字型を形成する一方の片に摘み片１０２を一体的に連設し、摘み片１０２が外方に突出するように形成したものである。
【０００４】
ホースバンド２００は、帯状の板バネを円環状に形成した環状部２０１と、この板バネの両端にそれぞれ形成した開口部２０２と該開口部２０２に挿入配置可能な凸部２０３と、これら開口部２０２及び凸部２０３の先端をそれぞれ折曲させて形成した各突片２０４，２０５を備えて構成されている（例えば特許文献１
の
【０００３】及び
【０００４】を参照）。
【０００５】
【特許文献１】
実用新案登録第２５７１６５８号
【０００６】
そして、工具（図示せず）を使用してホースバンド２００を拡径し、その状態で両突片２０４，２０５をコ字型の本体１０１で挟み込むようにストッパー１００を嵌着して拡径状態を維持するようになっている。
現場においては、ホースに装着した後に、図６（ｂ）に示すように、ペンチ等の工具３００を用いてストッパー１００の摘み片１０１を挟んで引っ張ることによりストッパー１００を外すことで、ホースバンド２００を拡径状態（実線）から締付状態（点線）にするものである。
【０００７】
【発明が解決しようとする課題】
しかしながら上記構造のストッパー付きホースバンドによると、ホースバンド２００を締付状態にする場合には、ストッパー１００がホースバンド２００から完全に離脱する構造であるため、外したストッパー１００が不要なゴミとなり、その処理が煩雑になるという問題点があった。
【０００８】
本発明は上記実情に鑑みてなされたもので、ストッパーをスライドさせることでホースバンドを拡径状態から締付状態にし、締付状態にしてもストッパーが離脱しない構造を有するストッパー付きホースバンド及びこれに使用するストッパーの構造を提供することを目的とする。
【０００９】
【課題を解決するための手段】
上記目的を達成するため請求項１は、方形状板体をコ字状に折曲して形成することで、中央連結部１１と該中央連結部１１に連結する一対の支持片１２，１３を有するストッパー片１０であって、次の構成を含むことを特徴としている。
いずれか一方の支持片にその一辺に沿った開口窓１４を形成する。
いずれか一方の支持片の下端両側部に切り込み線１５を形成し、切り込み線１５より下方の部位を他方の支持片側に傾斜させてその先端側が前記中央連結部１１側に臨む係止部１６を形成する。
【００１０】
請求項２は、請求項１に記載のストッパー片において、中央連結部１１の各折曲部近傍に切り込み部１１ａを形成し、翼状の把持部１９を形成したことを特徴としている。
【００１１】
請求項３は、請求項１のストッパー片を備えたストッパー付きホースバンド１であって、
帯状の板バネを円環状に形成した環状部２１と、前記板バネの両端にそれぞれ形成した開口部２２と該開口部２２に挿入配置可能な凸部２４と、これら開口部２２及び凸部２４の先端をそれぞれ折曲させて形成した各突片２３，２５を備え、開口部２２形成側の突片２３の先端両側部を幅広部２６としたホースバンド２０に対して、
前記ホースバンド２０の環状部２１を拡径させて前記開口部２２の外側位置に凸部２４が配置される状態とし、
請求項１のストッパー片１０の両支持片１２，１３で開口部２２形成側の突片２３を挟持し、ストッパー片１０の開口窓１４が形成されない支持片１２の表面が凸部２４形成側の突片２５に当接することで拡径状態を維持することを特徴としている。
【００１２】
請求項４は、請求項３に記載のストッパー付きホースバンドにおいて、環状部２１の内周に、帯状の板バネに対して斜めに配置される凸状部２７を形成したことを特徴としている。
【００１３】
本発明によれば、ストッパー片１０を突片２３に対してスライドさせることでホースバンド２０を拡径状態から締付状態にした場合においても、ホースバンド２０における開口部２２形成側の突片２３の先端両側部を幅広（幅広部２６）としたので、この部分にストッパー片１０の係止部１６が当接し、ストッパー片１０がホースバンド２０から離脱するのを防ぐことができる。
【００１４】
【発明の実施の形態】
本発明の実施の形態の一例としてのストッパー付きホースバンドについて、図１乃至図５を参照しながら説明する。
図１はストッパー付きホースバンドの斜視説明図、図２はストッパー付きホースバンドの正面説明図、図３はホースバンドの正面説明図及び側面説明図、図４はホースバンドの展開説明図、図５はストッパー片の正面説明及び側面説明図である。
【００１５】
本発明のストッパー付きホースバンド１は、ストッパー片１０を装着することでホースバンド２０の拡径状態を維持し、ストッパー片１０をスライド移動することでホースバンド２０を締付状態にでき、更にこの状態でストッパー片１０がホースバンド２０から離脱しない構造に形成されている。
すなわち、本発明で使用されるホースバンド２０は、帯状の板バネを円環状に形成した環状部２１を有している。環状部２１を構成する板バネの一方の端部側には、方形状に切り込まれた開口部２２を形成するとともに、その先端部を開口部位置で外側に折曲することにより突片２３を形成し、開口部２２が環状部２１と突片２３とに跨るようになっている。そして、環状部２１を構成する板バネの他方の端部側には、前記開口部２２に挿入配置可能な凸部２４と、凸部２４の先端を折曲させて形成した突片２５を備えて構成されている。
また、開口部２２形成側の突片２３の先端部には、突片２３より幅広となる幅広部２６を形成している。
【００１６】
環状部２１の内周には、帯状の板バネの長手方向に沿って凸状部２７が形成されている。この凸状部２７は、図４の展開説明図に示すように、凸部２４の環状部２１よりの中央に形成される凸状部２７ｃと、開口部２２の一方の側面に位置する凸状部２７ａと、凸状部２７ａと凸状部２７ｂとを繋ぐように環状部周囲に斜めに形成された凸状部２７ｂから構成されている。凸状部２７が開口部２２を避けて開口部２２の側面側に周り込むように形成したのは、展開図を円形状にして環状部２１を形成した場合に、開口部２２の側方位置にも凸状部２７を存在させ（図１参照）、ホース５０の全周囲に凸状部２７が接触可能なようにするためである。
【００１７】
上記構造のホースバンド２０は、通常の状態では図３に示すように、開口部２２に凸部２４が挿入重合して突片２３，２５同士が交差した締付状態となっている。
【００１８】
次に、ホースバンド２０に装着されるストッパー片１０の構成について説明する。
ストッパー片１０は、方形状板体をコ字状（ここでいうコ字状は、Ｕ字状を含む概念である）に折曲して形成することで、中央連結部１１とこの中央連結部１１に連結する一対の支持片１２，１３を有して構成されている。
一方の支持片１３には、その一辺に沿った方形状の開口窓１４が形成されている。更に、この支持片１３の下端両側部には、切り込み線１５，１５が形成され、この切り込み線１５より下方の部位を他方の支持片１２側に傾斜させてその先端側が中央連結部１１側に臨む係止部１６を形成している。
また、各支持片１３の端部側は、支持片１２，１３で挟まれた部分にホースバンド２０の突片２３が挿入し易いようにするため、外側に若干開くように傾斜１７して構成されている。
【００１９】
また、支持片１２の内側部分の適宜位置には、球状の突起部１８が形成されている。
中央連結部１１の各折曲部近傍には切り込み部を設けることにより、片を起こすようにした翼状の把持部１９が形成されている。
【００２０】
上記例では、一方の支持片１３側に開口窓１４と係止部１６の双方を形成したが、一方の支持片に開口部を形成し、他方の支持片に係止部を形成する構造であってもよい。
【００２１】
締付状態にあるホースバンド２０にストッパー片１０を装着する場合には、先ず、ホースバンド２０の環状部２１を拡径させて開口部２２の外側位置に凸部２３が配置される拡径状態とし、ストッパー片１０を最も環状部側に配置させることでストッパー片１０の両支持片１２，１３で開口部２２形成側の突片２３を挟持する。この状態では、ストッパー片１０における開口窓１４が形成されない支持片１２の表面が凸部２４形成側の突片２５に当接し、突片２５の移動を規制し、拡径状態を維持することができる（図１（ａ）及び図２（ａ）参照）。
【００２２】
ホース５０にホースバンド２０を装着する場合には、パイプ（図示せず）にホース５０が接続された状態でパイプが位置するホース表面に、拡径状態となっているストッパー付きホースバンド１の環状部２１を位置させる。
支持片１２の内側部分に突起部１８が形成されているため、ホースバンド２０に対するストッパー片１０の位置を維持することができ、装着作業によりストッパー片１０が動きにくいようになっている。
【００２３】
この状態で、ストッパー片１０の把持部１９を突片２３から離れる方向に引き上げることでストッパー片１０を突片２３に対してスライド移動させる。
ストッパー片１０のスライド移動により支持片１２が移動し、突片２５との当接状態が解除されると、環状部２１はバネ作用により縮径し、開口部２２に凸部２４が挿入重合して突片２３，２５同士が交差した締付状態となることで、パイプに装着されたホース５０を締め付けることができる（図１（ｂ）及び図２（ｂ）参照）。
【００２４】
締付状態においては、環状部２１の内側に設けた凸状部２７の頂部が局部的にホース５０に接触するため、締付力が集中しホース接続部からの水漏れを確実に抑えることができる。
【００２５】
また、ストッパー片１０には係止部１６が形成されているので、係止部１６が幅広部２６に当接することで移動が規制され、ストッパー片１０が突片２３より外れることはない。
したがって、ストッパー片１０がゴミになることがなく、現場における取り扱いを良好とすることができる。
【００２６】
【発明の効果】
本発明のストッパー付きホースバンドによれば、ストッパー片をスライドさせることでホースバンドを拡径状態から締付状態にした場合においても、ホースバンドにおける開口部形成側の突片の先端両側部を幅広としたので、この部分にストッパー片の係止部が当接し、ストッパー片がホースバンドから離脱するのを防ぐことができ、ストッパー片がゴミとなるのを防いで現場での取り扱いを良好とすることができる。
【図面の簡単な説明】
【図１】本発明のストッパー付きホースバンドの実施の形態の一例を示すもので、（ａ）は拡径状態を示す斜視説明図、（ｂ）は締付状態を示す斜視説明図である。
【図２】ストッパー付きホースバンドの実施の形態の一例を示すもので、（ａ）は拡径状態を示す正面説明図、（ｂ）は締付状態を示す正面説明図である。
【図３】本発明で使用するホースバンドの一例を示すもので、（ａ）は正面説明図、（ｂ）は側面説明図である。
【図４】図４のホースバンドを展開した状態を示す展開説明図である。
【図５】本発明のストッパー片の実施の形態の一例を示すもので、（ａ）は正面説明図、（ｂ）は側面説明図である。
【図６】従来のストッパー付きホースバンドを示すもので、（ａ）は拡径状態を示す斜視説明図、（ｂ）は締付状態にする場合を説明するための正面説明図である。
【符号の説明】
１…ストッパー付きホースバンド、
１０…ストッパー片、  １１…中央連結部、
１２，１３…支持片、  １４…開口窓、  １５…切り込み線、
１６…係止部、  １８…突起部、  １９…把持部、
２０…ホースバンド、
２１…環状部、  ２２…開口部、
２３…突片、  ２４…凸部、  ２５…突片、
２６…幅広部、  ２７…凸状部、
５０…ホース
【図１】
2004353711.tif 000003
【図２】
2004353711.tif 000004
【図３】
2004353711.tif 000005
【図４】
2004353711.tif 000006
【図５】
2004353711.tif 000007
【図６】
2004353711.tif 000008